(57)【要約】    点発光光源の明るさを補いつつ、デザイン性が向上した照明器具を提供する。照明器具（１）は、点発光光源である電球型ＬＥＤランプ（１１）と、面発光光源である無機ＥＬ（１２）とを備えている。この構成において、電球型ＬＥＤランプ（１１）と無機ＥＬ（２１）の点灯を独立して制御する点灯制御装置（１０１）を備える。
2012032992.tif 000002
【特許請求の範囲】
【請求項１】
点発光光源と、面発光光源とを備え、前記点発光光源と前記面発光光源の点灯を独立して制御する点灯制御装置を備えたことを特徴とする照明器具。
【請求項２】
前記面発光光源が筒状に形成され、その内部に前記点発光光源が配置されたことを特徴とする請求項１に記載の照明器具。
【請求項３】
前記面発光光源が屋根状に形成され、その下部に前記点発光光源が配置されたことを特徴とする請求項１に記載の照明器具。
【請求項４】
前記点発光光源が、電球型ＬＥＤランプであることを特徴とする請求項２に記載の照明器具。
【請求項５】
前記点発光光源が、蛍光灯型ＬＥＤランプであることを特徴とする請求項３に記載の照明器具。
【請求項６】
前記点発光光源が、基板上に複数のＬＥＤを配置した板状ＬＥＤランプであることを特徴とする請求項３に記載の照明器具。
【請求項７】
前記面発光光源が、無機ＥＬであることを特徴とする請求項１に記載の照明器具。
【請求項８】
前記面発光光源が、無機ＥＬであることを特徴とする請求項２に記載の照明器具。
【請求項９】
前記面発光光源が、無機ＥＬであることを特徴とする請求項３に記載の照明器具。
【請求項１０】
前記面発光光源は、異なる発光色を持つ無機ＥＬが複数枚積層または並列配置されたものであり、各無機ＥＬの点灯を独立して制御することを特徴とする請求項１に記載の照明器具。
【請求項１１】
前記面発光光源は、異なる発光色を持つ無機ＥＬが複数枚積層または並列配置されたものであり、各無機ＥＬの点灯を独立して制御することを特徴とする請求項２に記載の照明器具。
【請求項１２】
前記面発光光源は、異なる発光色を持つ無機ＥＬが複数枚積層または並列配置されたものであり、各無機ＥＬの点灯を独立して制御することを特徴とする請求項３に記載の照明器具。
【請求項１３】
前記無機ＥＬが、両面発光型であることを特徴とする請求項７〜１２のいずれかに記載の照明器具。
【発明の詳細な説明】
【技術分野】
【０００１】
この発明は、家庭等で用いられる照明器具に関するものである。
【背景技術】
【０００２】
点発光光源であるＬＥＤランプを用いた照明器具は近年、性能向上が目覚しく発光効率では既に白熱電球を上回り蛍光ランプを超えるものも開発されている。しかし、ＬＥＤは微小な半導体チップであり、単独では光量において既存の白熱電球や蛍光灯には及ばない。複数のＬＥＤを集積して光量を高めることもできるが、電力が一点に集中するため、放熱等の問題で集積度には限界がある。したがって、ＬＥＤが得意とする照明器具の形態は、比較的光源のサイズが小さくかつ指向性が高いものとなる。拡散板等を用いて面的な発光を得ることもできるが、光のロスが発生し、発光効率が犠牲となる欠点がある。【０００３】
このようなＬＥＤの特性を生かした製品として、特許文献１には、いわゆる電球型ＬＥＤランプが開示されている。また、特許文献２では、ガラス管等に複数のＬＥＤを収めた蛍光灯型ＬＥＤランプが提案されている。
【先行技術文献】
【特許文献】
【０００４】
【特許文献１】特開２０１０−３３９５９号公報
【特許文献２】特開２０１０−９２９９０号公報
【発明の概要】
【発明が解決しようとする課題】
【０００５】
上述の特許文献１に開示された電球型ＬＥＤランプは、白熱電球とソケットが共通で外観も電球に類似している。その一方、白熱電球がほぼ全方向に発光分布を持つのに対して、電球型ＬＥＤランプは一方向（通常、ソケットと反対方向）に指向性を持っている。これは、ソケット側には放熱器が配されるため、放熱器によりその方向への光がカットされるからである。【０００６】
そのため、電球型ＬＥＤランプを従来から家庭等で用いられている照明器具に用いると、直下では白熱電球の場合と同等の照度が得られるが、照明器具の傘、シェード、拡散板等が発光せず暗いという印象を与えてしまう。【０００７】
また、上述の特許文献２に開示された蛍光灯型ＬＥＤランプでも、光の利用効率を高めるため管の半面だけが発光するような構成をとることがある。この場合も照明器具の反射板、拡散板を照らす光量が不足し、電球型ＬＥＤランプの場合と同様に照明器具のもつ明るさ、華やかさ、ひいてはデザイン性までもが損なわれる。【０００８】
本発明は、上述した問題点に鑑みてなされたものであり、主光源である点発光光源の明るさを補いつつ、デザイン性が向上した照明器具を提供することを目的とする。
【課題を解決するための手段】
【０００９】
この発明に係る照明器具は、点発光光源と、面発光光源とを備えるように構成される。そして、この照明器具は、点発光光源と面発光光源の点灯を独立して制御するように構成される。【００１０】
上述の構成においては、照明器具が点発光光源と面発光光源を備えるため、点発光光源単独では不足する光量が面発光光源により補われる。また、主光源ではない面発光光源により、照明器具自身が点灯する。【００１１】
面発光光源は筒状に形成され、その内部に点発光光源が配置されるように構成される。あるいは、面発光光源が屋根状に形成され、その下部に点発光光源が配置されるように構成される。【００１２】
点発光光源の例としては、電球型ＬＥＤや蛍光ランプ型ＬＥＤを挙げることができる。その他の例として、基板上に複数のＬＥＤを配置したものであっても良い。【００１３】
面発光光源の例としては、片面発光型または両面発光型の無機ＥＬを挙げることができる。また、無機ＥＬは、異なる発光色を持つ無機ＥＬを複数枚積層または並列配置して構成しても良い。この場合、各無機ＥＬの点灯を独立して制御するように構成される。
【発明の効果】
【００１４】
この発明によれば、主光源である点発光光源の明るさを補いつつ、デザイン性が向上した照明器具を提供することが可能になる。
【図面の簡単な説明】
【００１５】
【図１】本発明の第１の実施形態に係る照明器具の概略を一部を切欠いて示す図である。
【図２】点灯制御装置の第１の例を示すブロック図である。
【図３】点灯制御装置の第２の例を示すブロック図である。
【図４】点灯制御装置の第３の例を示すブロック図である。
【図５】点灯制御装置の第４の例を示すブロック図である。
【図６】第４の例の点灯制御装置によるＥＬバランス調整の一例を説明する図である。
【図７】本発明の第２の実施形態に係る照明器具の概略を一部を切欠いて示す図である。
【図８】本発明の第３の実施形態に係る照明器具の概略を一部を切欠いて示す図である。
【図９】本発明の第４の実施形態に係る照明器具の概略を示す図である。
【図１０】本発明の第５の実施形態に係る照明器具の概略を示す図である。
【発明を実施するための形態】
【００１６】
図１を用いて、本発明の第１の実施形態に係る照明器具１の概略構成を説明する。図１に示す照明器具１は、白熱電球タイプの傘付の吊り下げ灯具の例であり、点発光光源である電球型ＬＥＤランプ１１と、略円錐形の筒状に形成された傘１２と、を備える。電球型ＬＥＤランプ１１は、図示のごとく、傘１２の内部の略中央に配置される。傘１２は、後述するように、面発光材料であるシート状の無機ＥＬにより形成されている。また、傘１２は、吊り下げ紐１３により天井等に吊り下げて空中に保持される。
【００１７】
電球型ＬＥＤランプ１１は照明器具１の主光源であり、白熱電球と共通のソケット１１Ａを持つ電球に類似した点発光光源である。電球型ＬＥＤランプ１１は、商用の６０ Hzまたは５０ Hzの交流電源で直接点灯可能なものが一般に入手可能である。
【００１８】
また、電球型ＬＥＤランプ１１は一方向（通常、ソケットと反対方向、図１における矢印Ａ方向）に指向性を持っている。これはソケット１１Ａ側にはフィン状の放熱器１１Ｂが配されるからである。このため、本実施の形態の照明器具１では、その構造上、傘１２には、電球型ＬＥＤランプ１１からの光が届きにくくなっている。
【００１９】
傘１２は、面発光材料であるシート状の無機ＥＬ（Electro-Luminescence）を略円錐形の筒状に丸めて形作られている。無機ＥＬは、フィルム基板を使ったフレキシブルな面発光材料として知られている。また、無機ＥＬは容量性であり、交流駆動型のデバイスである。
【００２０】
本実施の形態では、照明器具としてのデザイン性および明るさを考慮すると、両面発光型の無機ＥＬを用いるのが好ましい。この場合、任意の発光色を持つ無機ＥＬを１枚だけ用いても良いし、異なる発光色を持つ無機ＥＬを複数枚積層して用いることも可能である。
【００２１】
ここで、ＥＬは、ＬＥＤほど電力を消費しない発光材料として注目されている。近年、有機ＥＬにおいては輝度、発光効率が急速に改善されており、ＬＥＤには及ばないものの副次的な光源として十分なレベルに達している。
【００２２】
特に無機ＥＬは大面積、フレキシブルな製品が市場に出回っており、各種デザインの照明器具に応用するのに好適である。さらに、真空プロセスを必要とする有機ＥＬと比較して、無機ＥＬは（通常、透明ＩＴＯ電極を除いて）すべての工程を印刷、塗布プロセスで形成可能なので、低コストであることもその特徴である。ゆえに、無機ＥＬを使えば全体のコストに大きく影響することなく新しいタイプの照明器具を実現可能である。
【００２３】
また、輝度が足りないと言われている無機ＥＬも最近では３００ｃｄ／ｍ２、１０ ｌｍ／Ｗ程度のものが市販されており、発光効率では白熱電球と同等であり、輝度についても遜色ないものとなっている。
【００２４】
本実施の形態の照明器具１では、電球型ＬＥＤランプ１１と無機ＥＬ（本実施の形態では、傘１２に相当する）というタイプの異なる光源を組み合わせて用いるので、両者の明るさのバランスを適切に調整することが違和感のない照明環境を実現するために重要である。
【００２５】
このため、本実施の形態の照明器具１では、図示しない点灯制御装置を内蔵し、電球型ＬＥＤランプと無機ＥＬの点灯を独立して制御することができるようになっている。以下に、その点灯制御装置の具体例を図２〜図５を用いて説明する。
【００２６】
図２は、点灯制御装置の第１の例を示すブロック図である。図２に示すように、本例の点灯制御装置１０１は、電球型ＬＥＤランプ１１を調光するためのトライアック１１１、無機ＥＬ１２の明るさを調節するためのインバーター１１２、および両者を制御する制御回路１１３を中心に構成されている。
【００２７】
トライアック１１１は、商用交流電源から供給される交流電圧の波形の一部を切り欠いて電球型ＬＥＤランプ１１に印加することで電球型ＬＥＤランプ１１の明るさを制御するように構成される。つまり、トライアック１１１により交流波形の正弦波を位相制御することにより電球型ＬＥＤランプ１１の明るさを制御することができる。
【００２８】
インバーター１１２は、商用交流電源から供給される交流電圧の電圧または周波数を変化させて無機ＥＬ１２に印加することで無機ＥＬ１２の明るさを制御するように構成される。
【００２９】
制御回路１１３には、照明器具１に備え付けの調光ダイアル１１４とモード選択スイッチ１１５が接続されている。
【００３０】
調光ダイアル１１４は、ツマミを回転操作することによって電球型ＬＥＤランプ１１と無機ＥＬ１２の明るさの比率をあらかじめ設定された値に保ちつつ、明るさのレベルを可変するように構成される。
【００３１】
モード選択スイッチ１１５は、切り替え操作によって、下表１に示すように、電球型ＬＥＤランプ１１と無機ＥＬ１２の両方を点灯させるモード（モード１）、無機ＥＬ１２は消灯させて電球型ＬＥＤランプ１１のみを単独で点灯させるモード（モード２）、および電球型ＬＥＤランプ１１は消灯させて無機ＥＬ１２のみを単独で点灯させるモード（モード３）の間で切り替えを可能とするように構成される。
【００３２】
【表１】
2012032992.tif 000003
【００３３】
本例の点灯制御装置１０１では、電球型ＬＥＤランプ１１と無機ＥＬ１２の両方を点灯させるモードでは、その両方の明るさ協調して制御することができる。また、電球型ＬＥＤランプ１１のみを単独で点灯させるモードでは、電球型ＬＥＤランプ１１の明るさを調整することができる。また、無機ＥＬ１２のみを単独で点灯させるモードでは、無機ＥＬ１２の明るさを調整することができる。
【００３４】
本例の点灯制御装置１０１を備えた照明装置１によると、電球型ＬＥＤランプ１１と無機ＥＬ１２の両方が点灯しているときには、あたかも一つの光源を持った照明器具のような統一感のある雰囲気を演出する。加えて、電球型ＬＥＤランプ１１または無機ＥＬ１２のみが単独で点灯するモードでは、前者においてはスポット的な照度が高く陰影が強い照明が、後者においては柔らかで広がりのある照明が実現され、一つの照明器具でありながら使用目的や時間帯に応じて異なる雰囲気を演出することができる。
【００３５】
以上によって、主光源である電球型ＬＥＤランプ１１の明るさを補いつつ、デザイン性が向上した照明器具を提供することが可能になる。
【００３６】
図３は、点灯制御装置の第２の例を示すブロック図である。図３に示すように、本例の点灯制御装置１０２は、無機ＥＬ１２の明るさを調節するためのインバーター１１２、電球型ＬＥＤランプ１１の照度を検出する照度センサー１１６、および検出された照度に基づいてインバーター１１２を制御する制御回路１１７を中心に構成されている。
【００３７】
照度センサー１１６は、例えば、フォトダイオードを用いることができ、電球型ＬＥＤランプ１１の光量（照度）を検知し、その光量に応じた電流を制御回路１１７に対して出力するように構成される。
【００３８】
制御回路１１７には、照明器具１に備え付けのモード選択スイッチ１１５が接続されている。
【００３９】
本例の点灯制御装置１０２のその他の構成は、上述した第１の例と同一である。
【００４０】
本例の制御回路１０２を備えた照明器具１によると、検出された電球型ＬＥＤランプ１１の照度に合わせて、あらかじめ設定された明るさで無機ＥＬ１２を点灯することができる。本例の点灯制御装置１０２は、電球型ＬＥＤランプ１１の調光機能は備えていないが、本例の点灯制御装置１０２を備えた照明器具１によると、ワット数が異なる電球型ＬＥＤランプ１１を使用した場合にも、その照度に応じて無機ＥＬ１２の明るさを自動で適切に調整することができる。
【００４１】
図４は、点灯制御装置の第３の例を示すブロック図である。図４に示すように、本例の点灯制御装置１０３は、電球型ＬＥＤランプ１１を調光するためのトライアック１１１、無機ＥＬ１２の明るさを調節するためのインバーター１１２、電球型ＬＥＤランプ１１の照度を検出する照度センサー１１６、および検出された照度に基づいてトライアック１１１およびインバーター１１２を制御する制御回路１１８を中心に構成されている。
【００４２】
制御回路１１８には、照明器具１に備え付けの調光ダイアル１１４とモード選択スイッチ１１５が接続されている。
【００４３】
本例の点灯制御装置１０３のその他の構成は、上述した第１の例と同一である。
【００４４】
本例の制御回路１０３を備えた照明器具１によると、上述した第１の例のように調光を行った場合でも、また、上述した第２の例のようにワット数の異なる電球型ＬＥＤランプ１１に交換した場合でも、検出された電球型ＬＥＤランプ１１の照度に合わせて、電球型ＬＥＤランプ１１と無機ＥＬ１２の明るさの比率を適切に設定することが可能となる。
【００４５】
図５は、点灯制御装置の第４の例を示すブロック図である。本例では、無機ＥＬとして、異なる発光色（例えば、緑と赤）を持つ２枚の無機ＥＬ１２Ａ，１２Ｂを積層または並列配置したものを用いている。
【００４６】
図５に示すように、本例の点灯制御装置１０４は、電球型ＬＥＤランプ１１を調光するためのトライアック１１１、無機ＥＬ１２Ａ，１２Ｂの明るさを調節するためのインバーター１１２、およびこれらを制御する制御回路１１９を中心に構成されている。
【００４７】
制御回路１１９には、照明器具１に備え付けの調光ダイアル１１４、モード選択スイッチ１２０、およびＥＬバランス調整ダイアル１２１が接続されている。
【００４８】
ＥＬバランス調整ダイアル１２１は、ツマミを回転操作することにより、２枚の無機ＥＬ１２Ａ、１２Ｂの明るさのバランス（比）の調整を可能とするように構成される。
【００４９】
例えば、図６に示すように、ＥＬバランス調整ダイアル１２１のツマミが回転範囲の中央に位置するとき、異なる色で発光する無機ＥＬ１２Ａ，１２Ｂが共に各々の明るさの最大値の中間レベルで淡く点灯するようになる。この状態から、ツマミを左へ回転させるに従って一方の色で発光する無機ＥＬ１２Ａが明るくなるとともに、他方の色で発光する無機ＥＬ１２Ｂが暗くなり、逆に、ＥＬバランス調整ダイアル１２１のツマミを右へ回転させるに従って他方の色で発光する無機ＥＬ１２Ｂが明るくなるとともに、一方の色で発光する無機ＥＬ１２Ａが暗くなるような調整される。すなわち、ツマミの回転方向によって無機ＥＬ（傘１２）は発光色が変化する。
【００５０】
モード選択スイッチ１２０は、切り替え操作によって、下表２に示すように、電球型ＬＥＤランプ１１と無機ＥＬ１２の両方を点灯させると共に、上述したＥＬバランス調整を有効とするモード（モード１）、電球型ＬＥＤランプ１１と無機ＥＬ１２の両方を点灯させるが、上述したＥＬバランス調整は無効とするモード（モード２）、無機ＥＬ１２は消灯させて電球型ＬＥＤランプ１１のみを単独で点灯させるモード（モード３）、および電球型ＬＥＤランプ１１は消灯させて無機ＥＬ１２のみを単独で点灯させると共に、上述したＥＬバランス調整を有効とするモード（モード４）の間で切り替えを可能とするように構成される。
【００５１】
本例の点灯制御装置１０４のその他の構成は、上述した第１の例と同一である。
【００５２】
【表２】
2012032992.tif 000004
【００５３】
本例の点灯制御装置１０４を備えた照明器具１によると、傘１２の色が変化し、照明器具１の見た目に変化をもたらすことが可能となる。
【００５４】
図７〜図１０に、本発明の照明器具の他の実施形態を示す。
【００５５】
図７に示す第２の実施形態に係る照明器具２は床置き型スタンドの例であり、シェード２２はシート状の無機ＥＬにより円筒状に形成され、その内部に電球型ＬＥＤランプ２１がソケットを下にして発光部が上を向くように配置されている。シェード２２は、床置き型の棒状の支持具２３に支持されている。
【００５６】
図８に示す第３の実施形態に係る照明器具３は卓上スタンドの例であり、傘３２はシート状の無機ＥＬにより略円錐形の筒状に形成され、その内部に電球型ＬＥＤランプ３１がソケットを上にして発光部が下を向くように配置されている。傘３２は、卓上型の花瓶状の支持具３３に支持されている。
【００５７】
図９に示す第４の実施形態に係る照明器具４は蛍光灯タイプの拡散板付の吊り下げ灯具の例であり、拡散板４２はシート状の無機ＥＬを谷折して屋根状に形成され、その下部に蛍光灯型ＬＥＤランプ４１が配置されている。拡散板４２は、その天面に取り付けられた台形の保持具４３にチェーン４４を引っ掛けて天井等に吊るされる。
【００５８】
図１０に示す第５の実施形態に係る照明器具５は、卓上の読書灯の例であり、複数のＬＥＤ５１Ｂを基板５１Ａ上に配置した板状ＬＥＤランプ５１を、筐体５３の一部をなす半円柱ドーム型の頭部５４の下面に取り付けている。頭部５４の天面には、シート状の無機ＥＬ５２が貼り付けられている。
【００５９】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００６０】
１、２、３、４、５−照明器具
１１、２１、３１−電球型ＬＥＤランプ
４１−蛍光灯型ＬＥＤランプ
５１−板状ＬＥＤランプ
１２、１２Ａ、１２Ｂ、２２、３２、４２、５２−無機ＥＬ
１０１、１０２、１０３、１０４−点灯制御装置
【図１】
2012032992.tif 000005
【図２】
2012032992.tif 000006
【図３】
2012032992.tif 000007
【図４】
2012032992.tif 000008
【図５】
2012032992.tif 000009
【図６】
2012032992.tif 000010
【図７】
2012032992.tif 000011
【図８】
2012032992.tif 000012
【図９】
2012032992.tif 000013
【図１０】
2012032992.tif 000014
【国際調査報告】
2012032992.tif 000015
2012032992.tif 000016
2012032992.tif 000017
2012032992.tif 000018